(57)【要約】【課題】２線式電源線を配線する際の作業性を向上させることができる照明装置を低コストで提供する。【解決手段】プラス線とマイナス線とを有し、且つ、プラス線に接続されたプラス端子と、マイナス線に接続されたマイナス端子とを有する複数のソケット５０が順番に並んで設けられている２線式電源線５１と、ＬＥＤが取り付けられた複数のＬＥＤ基板と、２線式電源線５１を通じて各ＬＥＤ基板に電源を供給する電源部１１と、各ＬＥＤ基板がそれぞれ取り付けられ、ソケット５０が挿入される開口がそれぞれ設けられた複数の取付部６０（１）〜６０（４）と、を備え、各ソケット５０は、各ソケット５０が２線式電源線５１に設けられている順番に、各開口に挿入される。【選択図】図２
2014203596.tif 000002
【特許請求の範囲】
【請求項１】
プラス線とマイナス線とを有し、且つ、前記プラス線に接続されたプラス端子と、前記マイナス線に接続されたマイナス端子とを有する複数のソケットが順番に並んで設けられている２線式電源線と、
ＬＥＤが取り付けられた複数のＬＥＤ基板と、
前記２線式電源線を通じて前記各ＬＥＤ基板に電源を供給する電源部と、
前記各ＬＥＤ基板がそれぞれ取り付けられ、前記ソケットが挿入される開口がそれぞれ設けられた複数の取付部と、を備え、
前記各ソケットは、前記各ソケットが前記２線式電源線に設けられている順番に、前記各開口に挿入される
照明装置。
【請求項２】
さらに、
前記各取付部が取り付けられるシャーシと、
前記シャーシに設けられ、前記電源部が移動可能に取り付けられた取付フレームと、を備え、
前記電源部の前記取付フレームにおける位置は、前記各取付部の前記シャーシへの取付パターンに応じて、前記２線式電源線の長さが最短となるように定められている
請求項１に記載の照明装置。
【請求項３】
さらに、
前記各取付部が取り付けられるシャーシと、
前記シャーシに設けられ、前記電源部が移動可能に取り付けられた取付フレームと、を備え、
前記２線式電源線は前記電源部から導出されており、
前記電源部の前記取付フレームにおける位置は、前記２線式電源線に順番に設けられている前記複数のソケットのうち、前記電源部に最も近い前記ソケットが取り付けられた前記取付部に応じて、前記２線式電源線の長さが最短となるように定められている
請求項１に記載の照明装置。
【請求項４】
さらに、
前記各取付部が取り付けられるシャーシと、
前記シャーシに設けられ、前記各取付部を覆う複数のカバーと、を備え、
前記各カバーには、前記ＬＥＤに対応したレンズ部が設けられ、
前記各取付部は、当該取付部を覆う前記カバーとセットとなって、所定の角度毎に前記シャーシに取り付けられる
請求項１に記載の照明装置。
【請求項５】
前記複数の取付部は、前記シャーシの第１方向及び第２方向に並んで配列されており、
前記第１方向に配列された複数の前記取付部の各々の前記開口と、当該複数の取付部と前記第２方向で隣り合う複数の前記取付部の各々の前記開口とが互いに対向する
請求項１に記載の照明装置。
【請求項６】
２つの前記ソケット間の間隔は、前記電源部から離れるほど大きくなるように形成されている
請求項１〜５のいずれか１項に記載の照明装置。
【請求項７】
プラス線とマイナス線とを有し、且つ、前記プラス線に接続されたプラス端子と、前記マイナス線に接続されたマイナス端子とを有する複数のソケットが順番に並んで設けられている２線式電源線と、
電子部材が取り付けられた複数の基板と、
前記２線式電源線を通じて前記各基板に電源を供給する電源部と、
前記各基板がそれぞれ取り付けられ、前記ソケットが挿入される開口がそれぞれ設けられた複数の取付部と、を備え、
前記各ソケットは、前記各ソケットが前記２線式電源線に設けられている順番に、前記各開口に挿入される
配線構造。
【発明の詳細な説明】
【技術分野】
【０００１】
本発明は、照明装置およびこれに適用される配線構造に関する。
【背景技術】
【０００２】
トンネル内では、トンネル内を照明する照明器具が使用されている（例えば、特許文献１参照）。
【０００３】
図１６は、従来の照明装置の構成を示す斜視図である。照明装置１００は、シャーシ１０１を備える。シャーシ１０１は、その背面側（紙面手前方向側）に、電源ユニット１０２を取り付けるための取付フレーム１１０を備える。取付フレーム１１０には、電源ユニット１０２が、ねじ止めされることにより固定される。
【０００４】
一方で、シャーシ１０１の底面には、ＬＥＤが縦方向及び横方向に複数配列されたＬＥＤ基板が取り付けられた取付部２００が、複数、裏向きに取り付けられる。
【０００５】
取付部２００は、上下方向に２列、左右方向に３列で計６つ取り付けられている。各取付部２００には、その背面（紙面奥の面）に、図示しない放熱フィンを介して、放熱板４００が取り付けられている。各放熱板４００は、放熱効果を向上させるため、多数の孔が設けられている。
【０００６】
また、各取付部２００には、２線式電源線５１０に設けられたソケット５００を前方向（紙面に向かう方向）に挿入するための開口２００Ａが形成されている。各ソケット５００は、その端面にプラス端子とマイナス端子とを備える。
【０００７】
ソケット５００が開口２００Ａに挿入された際には、ソケット５００の端面がＬＥＤ基板と同じ側（シャーシ１０１の前面側）に位置することになる。その状態で、プラス端子をＬＥＤのアノード端子に接続し、マイナス端子をＬＥＤのカソード端子に接続する。一方、２線式電源線５１０のうち、ソケット５００が設けられていない側は、電源ユニット１０２に接続されている。これにより、各ＬＥＤが電源ユニット１０２から電源の供給を受けて発光する。
【０００８】
ところで、各取付部２００と、電源ユニット１０２との間には、取付部２００の数に対応した本数（ここでは６本）の２線式電源線５１０が存在する。これにより、各ＬＥＤは電源ユニット１０２に対し並列に接続されることになる。
【０００９】
この場合、電源ユニット１０２と各取付部２００との間では、各々、独立した電源系統を有するので、１本の２線式電源線５１０が断線や短絡しても、他の電源系統が使用できるため、全てのＬＥＤが消灯するおそれはないというメリットがある。
【先行技術文献】
【特許文献】
【００１０】
【特許文献１】特開平１１−２８３４１０号公報
【発明の概要】
【発明が解決しようとする課題】
【００１１】
しかしながら、複数本の２線式電源線で、各取付部と電源ユニットとを接続する際には、取付部の数が増えるほど、２線式電源線を多く準備しなければならない。また、２線式電源線の全体の線長が大きくなる。また、２線式電源線がシャーシ内で絡まってしまい、作業性が良いとはいえない。その結果、コストアップにつながる。
【００１２】
本発明は、上述の課題を解決するためになされたものであり、２線式電源線を配線する際の作業性を向上させることができる照明装置及び配線構造を低コストで提供することを目的とする。
【課題を解決するための手段】
【００１３】
上記目的を達成するために、本発明の一態様に係る照明装置は、プラス線とマイナス線とを有し、且つ、前記プラス線に接続されたプラス端子と、前記マイナス線に接続されたマイナス端子とを有する複数のソケットが順番に並んで設けられている２線式電源線と、  ＬＥＤが取り付けられた複数のＬＥＤ基板と、前記２線式電源線を通じて前記各ＬＥＤ基板に電源を供給する電源部と、前記各ＬＥＤ基板がそれぞれ取り付けられ、前記ソケットが挿入される開口がそれぞれ設けられた複数の取付部と、を備え、前記各ソケットは、前記各ソケットが前記２線式電源線に設けられている順番に、前記各開口に挿入される。
【００１４】
この構成によると、２線式電源線には、プラス線に接続されたプラス極と、マイナス線に接続されたマイナス極とを有するソケットが複数設けられ、各ソケットが、２線式電源線に設けられている順番に、複数の取付部の開口に挿入される。
【００１５】
そのため、各ソケットが挿入された各取付部は、電気的には電源部に並列に接続されてはいるが、見かけ上直列に接続される。
【００１６】
その結果、２線式電源線を配線する際の作業性を向上することができる。また、各取付部を従来のように並列に電源部に接続する場合よりも、２線式電源線の全体の線長が小さくなる。よって、２線式電源線を配線する際の作業性の向上を図ることができるので、コストの抑制を図ることができる。
【００１７】
さらに、前記各取付部が取り付けられるシャーシと、前記シャーシに設けられ、前記電源部が移動可能に取り付けられた取付フレームと、を備え、前記電源部の前記取付フレームにおける位置は、前記各取付部の前記シャーシへの取付パターンに応じて、前記２線式電源線の長さが最短となるように定められていてもよい。
【００１８】
この構成によると、各取付部をどのような取付パターンでシャーシに取りつけても、その状況で２線式電源線の線長が最短となる、電源部の位置が決まるので、作業性をより向上させることができる。
【００１９】
さらに、前記各取付部が取り付けられるシャーシと、前記シャーシに設けられ、前記電源部が移動可能に取り付けられた取付フレームと、を備え、前記２線式電源線は前記電源部から導出されており、前記電源部の前記取付フレームにおける位置は、前記２線式電源線に順番に設けられている前記複数のソケットのうち、前記電源部に最も近い前記ソケットが取り付けられた前記取付部に応じて、前記２線式電源線の長さが最短となるように定められていてもよい。
【００２０】
この構成によると、２線式電源線に順番に設けられている複数のソケットのうち、電源部に最も近いソケットが取付けられた取付部に応じて、２線式電源線の長さが最短となる、電源部の取付フレームにおける位置が決まるので、作業性をより向上させることができる。
【００２１】
さらに、前記各取付部が取り付けられるシャーシと、前記シャーシに設けられ、前記各取付部を覆う複数のカバーと、を備え、前記各カバーには、前記ＬＥＤに対応したレンズ部が設けられ、前記各取付部は、当該取付部を覆う前記カバーとセットとなって、所定の角度毎に前記シャーシに取り付けられていてもよい。
【００２２】
この構成によると、複数の取付部が、各々の取付部を覆うカバーとセットとなって回転して、所定の角度毎に、シャーシに取り付けられる。そのため、所定の角度であれば、どのような角度でもカバー及び取付部を設けることができる。その結果、作業性を向上させることができる。
【００２３】
また、前記複数の取付部は、前記シャーシの第１方向及び第２方向に並んで配列されており、前記第１方向に配列された複数の前記取付部の各々の前記開口と、当該複数の取付部と前記第２方向で隣り合う複数の前記取付部の各々の前記開口とが互いに対向してもよい。
【００２４】
この構成によると、第１方向に配列された複数の取付部の各々の開口と、当該複数の取付部と第２方向で隣り合う複数の取付部の各々の開口とが互いに対向するように、複数の取付部がシャーシ内に取り付けられているので、２線式電源線の線長を最短とすることができる。
【００２５】
また、２つの前記ソケット間の間隔は、前記電源部から離れるほど大きくなるように形成されていてもよい。
【００２６】
この構成によると、２つの前記ソケット間の間隔は、前記電源部から離れるほど大きくなる。
【００２７】
そのため、２線式電源線のうち、電源部に近い箇所は、ソケット間の間隔が小さいから、当該箇所はシャーシ内でたるみにくい。よって、電源部に近い箇所は電源部に重なりにくい。一方で、２線式電源線のうち、電源部から離れた箇所は、シャーシ内でたるんでも、電源部から離れているので電源部に重なりにくい。
【００２８】
よって、２線式電源線が電源部による熱の影響を受けることを抑制することができる。
【００２９】
また、本発明の他の態様に係る接続構造は、プラス線とマイナス線とを有し、且つ、前記プラス線に接続されたプラス端子と、前記マイナス線に接続されたマイナス端子とを有する複数のソケットが順番に並んで設けられている２線式電源線と、電子部材が取り付けられた複数の基板と、前記２線式電源線を通じて前記各基板に電源を供給する電源部と、前記各基板がそれぞれ取り付けられ、前記ソケットが挿入される開口がそれぞれ設けられた複数の取付部と、を備え、前記各ソケットは、前記各ソケットが前記２線式電源線に設けられている順番に、前記各開口に挿入される。
【００３０】
この構成によると、２線式電源線には、プラス線に接続されたプラス極と、マイナス線に接続されたマイナス極とを有するソケットが複数設けられ、各ソケットが、２線式電源線に設けられている順番に、複数の取付部の開口に挿入される。
【００３１】
そのため、各ソケットが挿入された各取付部は、電気的には電源部に並列に接続されてはいるが、見かけ上直列に接続される。
【００３２】
その結果、２線式電源線を配線する際の作業性を向上することができる。また、各取付部を従来のように並列に電源部に接続する場合よりも、２線式電源線の全体の線長が小さくなる。よって、２線式電源線を配線する際の作業性を向上させることができるので、コストの抑制を図ることができる。
【発明の効果】
【００３３】
本発明によると、２線式電源線を配線する際の作業性を向上させることができる照明装置及び配線構造を低コストで提供することができる。
【図面の簡単な説明】
【００３４】
【図１】本発明の実施の形態１に係る照明装置の表面を表す平面図である。
【図２】図１の照明装置の裏面を表す斜視図である。
【図３】図１におけるＡ−Ａ線断面図である。
【図４】取付部の各々と、カバーとの回転について説明するための遷移図である。
【図５】取付部の取付態様の一例について示す図である。
【図６】本発明の実施の形態で使用される２線式電源線の構成を概略的に表す図である。
【図７】本発明の実施の形態２に係る照明装置の構成の一例を示した斜視図である。
【図８】本発明の実施の形態３に係る照明装置の構成の一例を示した平面図である。
【図９】本発明の実施の形態４に係る照明装置の構成の一例を示した平面図である。
【図１０】本発明の実施の形態５に係る照明装置の構成の一例を示した平面図である。
【図１１】本発明の実施の形態６に係る照明装置の構成の一例を示した平面図である。
【図１２】本発明の実施の形態７に係る照明装置の構成の一例を示した平面図である。
【図１３】本発明の実施の形態８に係る照明装置の構成の一例を示した平面図である。
【図１４】本発明の実施の形態９に係る照明装置の構成の一例を示した平面図である。
【図１５】本発明の実施の形態１０に係る照明装置の構成の一例を示した平面図である。
【図１６】従来の照明装置の構成を示す斜視図である。
【発明を実施するための形態】
【００３５】
以下、本発明の実施の形態について、図面を用いて詳細に説明する。なお、以下で説明する実施の形態は、いずれも包括的または具体的な例を示すものである。以下の実施の形態で示される構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００３６】
以下、本発明の実施の形態を説明するにあたり、照明装置の左方向を矢印Ｘ１で表し、右方向を矢印Ｘ２で表す。また、照明装置の前方向を矢印Ｙ１で現し、後ろ方向を矢印Ｙ２で現す。さらに、照明装置の上方向を矢印Ｚ１で表し、下方向を矢印Ｚ２で表す。
【００３７】
（実施の形態１）
＜照明装置の構成＞
図１は、本発明の実施の形態１に係る照明装置の表面を表す平面図である。図２は、図１の照明装置の裏面を表す斜視図である。図３は、図１におけるＡ−Ａ線断面図である。なお、図３には、取付部６０（３）とこれに付随する構成要素のみが示されているが、取付部６０（１）、６０（２）、及び６０（４）の各々とこれに付随する構成要素については、取付部６０（３）とこれに付随する構成要素と同様であるので、説明及び図示を省略する。
【００３８】
照明装置１は、路面を斜め上方向から照射するために、その前面が斜め下方向を向くように、トンネル壁に取り付けられる。
【００３９】
照明装置１は、シャーシ１０を備える。シャーシ１０の前面側には、ＬＥＤ（電子部材）２１を覆うカバー２０が設けられている。このカバー２０は、シャーシ１０の水平方向（矢印Ｘ１−矢印Ｘ２方向；第２方向）に２つ設けられている。そして、水平方向に設けられた２つのカバー２０が、シャーシ１０の上下方向（矢印Ｚ１−Ｚ２方向；第１方向）に、２列に渡って設けられている。すなわち、シャーシ１０の前面側には、計４つのカバー２０が設けられている。
【００４０】
各カバー２０の背面には、ＬＥＤ基板（基板）２２に縦横に渡って配列された複数のＬＥＤ２１が位置する。各ＬＥＤ２１は、電源ユニット（電源部）１１からの電源供給を受けて光束を照射する。
【００４１】
各カバー２０には、各ＬＥＤ２１に対応して、ＬＥＤ２１の前面に位置するレンズ部２０Ａが設けられている。これにより、ＬＥＤ２１から照射された光束がレンズ部２０Ａによって集束され、路面に到達する。
【００４２】
シャーシ１０は、図２に示すように、電源ユニット１１を取り付けるための取付フレーム１２を備える。取付フレーム１２には、電源ユニット１１を左右方向に移動させることができるように、３本のガイド溝１２Ａが設けられている。電源ユニット１１は、ガイド溝１２Ａに沿って左右方向に動くので、ユーザは、適宜、電源ユニット１１の取付フレーム１２における位置を調整することができる。
【００４３】
また、シャーシ１０は、取付フレーム１２が設けられた上フレーム１３と、右フレーム１４（１）と、右フレーム１４（１）と同様の構成の左フレーム１４（２）と、下フレーム１５とを組み合わせて構成される。上フレーム１３には、電源ユニット１１や、放熱板４０からの熱を外部へ逃がすための略半楕円形状の開口１３Ａが設けられている。
【００４４】
シャーシ１０の底部（矢印Ｙ１側）には、その前面（矢印Ｙ１側の面）にＬＥＤ基板２２が取り付けられた取付部６０（１）〜６０（４）が、ＬＥＤ基板２２の配置面が照明装置１の前面側に位置するように、取り付けられている（図３参照）。図３に示すように、ＬＥＤ基板２２は、当該ＬＥＤ基板２２に設けられたＬＥＤ２１が照明装置１の前面側に位置するように、取付部６０（１）〜６０（４）に取り付けられている。
【００４５】
なお、図２では、照明装置１の左上側の取付部を取付部６０（１）で表し、左下側の取付部を取付部６０（２）で表し、右上側の取付部を取付部６０（３）で表し、右下側の取付部を取付部６０（４）で表している。
【００４６】
取付部６０（１）〜６０（４）の背面には、図２及び図３に示すように、放熱フィン３０が設けられている。放熱フィン３０の背面には、放熱板４０が取り付けられている。放熱板４０には、その放熱効率を向上させるため、図２に示すように、複数の孔が形成されている。
【００４７】
また、照明装置１の背面には、照明装置１をトンネル壁面に取り付けるための壁面取付部１６が設けられている。この壁面取付部１６には、壁面取付部１６をトンネル壁面に取り付けるための取付孔１６Ａが形成されている。
【００４８】
照明装置１の前面の、路面に対する角度は、角度調整部１７によって行われる。角度調整部１７は、半円形状とされており、角度調整部１７の外延に沿ったガイド溝１７Ａが形成されている。壁面取付部１６は、ガイド溝１７Ａに沿って移動可能とされている。ユーザは、壁面取付部１６をガイド溝１７Ａに沿って移動させることにより、照明装置１の前面の、路面に対する角度を調整する。
【００４９】
取付部６０（１）〜６０（４）の各々は、カバー２０とともに、正方形状とされている。そのため、取付部６０（１）〜６０（４）の各々は、カバー２０とセットとなって、シャーシ１０に対して、９０度毎に回転させながら、取り付けることができる。これについて、図４を用いて説明する。
【００５０】
図４は、取付部６０（１）〜６０（４）の各々と、カバー２０との回転について説明するための遷移図である。
【００５１】
図４の（ａ）において、取付部６０（１）〜６０（４）の各々の開口６００は、右側に位置している。いま、図４の（ａ）において、左上のＬＥＤ２１（１）及びレンズ部２１Ａ（１）に着目すると、取付部６０（１）〜６０（４）の各々と、これを覆うカバー２０とがセットで反時計回り方向に９０度回転すると、図４の（ｂ）に示すように、ＬＥＤ２１（１）及びレンズ部２１Ａ（１）は左下に位置し、且つ、開口６００は下に位置する。
【００５２】
そして、さらに、取付部６０（１）〜６０（４）の各々と、これを覆うカバー２０とがセットで反時計回り方向に９０度回転すると、図４の（ｃ）に示すように、ＬＥＤ２１（１）及びレンズ部２１Ａ（１）は右下に位置し、且つ、開口６００は左側に位置する。
【００５３】
このように、取付部６０（１）〜（４）が、各々をカバー２０とセットとなって、所定の角度毎に（ここでは９０度毎に）、回転してシャーシ１０に取り付けられるので、ＬＥＤ２１とレンズ部２１Ａとの対応関係を維持しながら、取付部６０（１）〜６０（４）をシャーシ１０に取り付けることができる。
【００５４】
これにより、９０度ごとであれば、どのような角度でもカバー及び取付部を設けることができるので、作業性を向上させることができる。なお、本実施の形態では、取付部６０（１）〜（４）の各々とカバー２０とが正方形とされているが、本発明ではこの例には限られず、例えば、円形状であってもよい。円形状であれば、取付部６０（１）〜（４）の各々とカバー２０とを３６０度回転させることができるため、より作業性を向上させることができる。
【００５５】
図５は、取付部６０（１）〜６０（４）の取付態様の一例について示す図である。図５では、取付部６０（３）及び６０（４）が、取付部６０（１）及び６０（２）の状態から１８０度回転して取り付けられている。
【００５６】
そして、先述のように、取付部６０（３）及び６０（４）の回転とセットとなって、カバー２０が回転してシャーシ１０に取り付けられるので、取付部６０（３）及び６０（４）の各々の表面のカバー２０も、取付部６０（１）及び６０（２）の各々の表面のカバー２０の状態から、１８０度回転して取り付けられている。
【００５７】
開口６００には、図３に示すように、２線式電源線５１に設けられたソケット５０が挿入される。開口６００は、背面側６００Ｂの径が前面側６００Ａの径よりも小さく、且つ、前面側６００Ａの径が背面側６００Ｂの径よりも大きくなるように、形成されている。ソケット５０の先端部分５０Ｈはねじ状に形成されており、開口６００の前後方向の長さより短い。
【００５８】
そのため、図３に示すように、ソケット５０の先端部分５０Ｈを開口６００に挿入した際には、先端部分５０Ｈの先端が、前方を向いた状態で、開口６００の前面側６００Ａ内に収納された状態となる。その状態で、開口６００の前面からナット７０を入れてナット７０を先端部分５０Ｈに当て、ナット７０を回転させると、ソケット５０が取付部６０（３）に固定される。
【００５９】
すると、ソケット５０の先端が、開口６００の内部で前方向を向いた状態となる。ソケット５０の先端には、後述するように、プラス端子とマイナス端子とが設けられている。プラス端子はＬＥＤ２１のアノード極に接続され、マイナス端子はＬＥＤ２１のカソード極に接続される。
【００６０】
これにより、ＬＥＤ基板２２上のＬＥＤ２１が、電源ユニット１１からの電源の供給を、ソケット５０を通じて受け、発光する。
【００６１】
＜２線式電源線の構成＞
図６は、本発明の実施の形態１で使用される２線式電源線の構成を概略的に表す図である。図示するように、２線式電源線５１は、電源ユニット１１の導出部１１Ａから導出されている。２線式電源線５１からは、複数のソケット５０が順番に導出されている。２つのソケット５０間の間隔Ｌ１は、取付部６０（１）〜６０（４）の開口６００間の間隔に応じて予め定められている。
【００６２】
２線式電源線５１は、図示するように、電源ユニット１１から離れるほど、２つのソケット５０間の間隔Ｌ１が大きくなるように形成されていることが望ましい。こうすれば、２つのソケット５０間の間隔Ｌ１は電源ユニット１１から離れるほど大きくなる。
【００６３】
間隔Ｌ１が電源ユニット１１から離れるほど大きくなると、以下の利点がある。すなわち、２線式電源線５２のうち、電源ユニット１１に近い箇所は、ソケット５０間の間隔が小さいから、当該箇所はシャーシ１０内でたるみにくい。よって、電源ユニット１１に近い箇所は電源ユニット１１に重なりにくい。一方で、２線式電源線５１のうち、電源ユニット１１から離れた箇所は、シャーシ１０内でたるんでも、電源ユニット１１から離れているので電源ユニット１１に重なりにくい。
【００６４】
よって、２線式電源線５１が電源ユニット１１による熱の影響を受けることを抑制することができる。
【００６５】
各ソケット５０の先端部分には、プラス端子５０Ａとマイナス端子５０Ｂとが設けられている。２線式電源線５１は、プラス線５１Ａとマイナス線５１Ｂとを備える。プラス線５１Ａには、各ソケット５０のプラス端子５０Ａが接続される一方で、マイナス線５１Ｂには、各ソケット５０のマイナス端子５０Ｂが接続される。プラス線５１Ａ及びマイナス線５１Ｂの各々の終端は、電源ユニット１１のプラス極、マイナス極に各々接続される。
【００６６】
これにより、各ソケット５０は、電気的には、電源ユニット１１に対して並列に接続されるが、見かけでは、電源ユニット１１に対して直列に接続される。
【００６７】
＜配線構造＞
本発明の実施の形態１に係る照明装置１では、図２に示すように、電源ユニット１１からは、２線式電源線５１が導出されている。２線式電源線５１には、先述のように、複数のソケット５０が順番に導出されているので、ユーザは、各ソケット５０を、２線式電源線５１に設けられている順番に、各取付部６０の開口６００へ挿入する。
【００６８】
具体的には、各ソケット５０は、これらが設けられている順番に、左上の取付部６０（１）、左下の取付部６０（２）、右下の取付部６０（４）、右上の取付部６０（３）の順に、各々接続される。これにより、取付部６０（１）、６０（２）、６０（３）、及び６０（４）が、電源ユニット１１に対して、２線式電源線５１によって見かけ上直列に接続される。
【００６９】
以上のように、取付部６０（１）、６０（２）、６０（３）、及び６０（４）を、ソケット５０が設けられている順番に接続することができるので、各取付部は、電気的には電源ユニット１１に並列に接続されてはいるが、見かけ上直列に接続される。
【００７０】
その結果、２線式電源線５１を配線する際の作業性を向上することができる。また、各取付部を電源ユニット１１に並列に接続する場合よりも、２線式電源線５１の全体の線長が小さくなる。
【００７１】
よって、２線式電源線５１を配線する際の作業性が良く、コストの抑制を図ることができる。
【００７２】
以下、本発明の実施の形態２から、実施の形態１０までの９つの実施の形態について、図面を用いて説明する。なお、この説明においては、ガイド溝１２Ａ、放熱フィン３０、及び放熱板４０についての説明は、説明の簡略化のため、省略する。
【００７３】
（実施の形態２）
図７は、本発明の実施の形態２に係る照明装置の構成の一例を示した斜視図である。照明装置１Ａでは、シャーシ１０の底面に、６つの取付部６０（１）〜６０（６）が設けられている。
【００７４】
取付部６０（１）及び６０（２）はシャーシ１０の上下方向（第１方向）に配列されている。取付部６０（３）及び６０（４）も上下方向に配列されている。取付部６０（５）及び６０（６）も上下方向に配列されている。
【００７５】
取付部６０（１）及び６０（２）と、取付部６０（３）及び６０（４）とは、シャーシ１０の左右方向（第２方向）で隣り合う。取付部６０（３）及び６０（４）と、取付部６０（５）及び６０（６）とは、シャーシ１０の左右方向で隣り合う。
【００７６】
このようにシャーシ１０に配列された取付部６０（１）〜６０（６）において、取付部６０（１）及び６０（２）と、取付部６０（３）及び６０（４）とは、各々の開口６００が互いに対向するように配列されている。このとき、取付部６０（１）〜６０（４）を結ぶ２線式電源線５１の線長が最短となる。
【００７７】
取付部６０（５）及び６０（６）は、開口６００が各々の左側に位置するように取り付けられている。
【００７８】
２線式電源線５１からは、６つのソケット５０が順番に導出されている。なお、２つのソケット５０間の間隔Ｌ１は、取付部６０（１）〜６０（６）の開口６００間の間隔によって予め定められている。
【００７９】
各ソケット５０は、２線式電源線５１に設けられている順番に、取付部６０（１）〜６０（６）の順で、取付部６０（１）〜（６）に挿入される。
【００８０】
このように、取付部６０の数が増加しても、その数に対応するソケット５０を２線式電源線５１から順番に導出させれば、各ソケット５０を、２線式電源線５１に設けられている順番に、各取付部６０に挿入することができる。
【００８１】
その結果、取付部６０の数が増加しても、取付部６０を２線式電源線５１によって見かけ上直列に接続することができるので、２線式電源線５１の線長を小さくすることができる。
【００８２】
（実施の形態３）
＜照明装置の構成＞
図８は、本発明の実施の形態３に係る照明装置の構成の一例を示した平面図である。なお、本実施の形態３で使用される２線式電源線５１では、２つのソケット５０間の間隔Ｌ１が、取付部６０（１）〜６０（６）の開口６００間の間隔に応じて予め定められている。
【００８３】
この照明装置１Ｂでは、先述の照明装置１Ａと同様に、取付部６０（１）は照明装置１Ａの左上に位置し、取付部６０（２）は照明装置１Ａの左下に位置する。取付部６０（３）は照明装置１Ａの中心線Ｌ上の上部に位置し、取付部６０（４）は照明装置１Ａの中心線Ｌ上の下部に位置する。取付部６０（５）は照明装置１Ａの右上に位置し、取付部６０（６）は照明装置１Ａの右下に位置する。
【００８４】
そして、２線式電源線５１の線長を最短にするために、電源ユニット１１の取付フレーム１２における位置が位置Ｐ１と定められている。
【００８５】
＜配線構造＞
取付部６０（１）〜６０（６）が先述のようなパターンでシャーシ１０に取り付けられている場合には、取付部６０（３）、６０（１）、６０（２）、６０（４）、６０（６）、６０（５）の順に２線式電源線５１を配線すれば、取付部６０（３）を始点とし、取付部６０（５）を終点とする２線式電源線５１の最短ルートが形成される。このとき、各ソケット５０が、２線式電源線５１に設けられている順番に、各々、開口６００に挿入される。
【００８６】
この場合、電源ユニット１１からの２線式電源線５１の導出部１１Ａが、取付部６０（３）の開口６００の略真上に位置した状態で、導出部１１Ａから取付部６０（３）までの２線式電源線５１の線長が最短となる。
【００８７】
その結果、電源ユニット１１の導出部１１Ａを始点とし、取付部６０（５）を終点とする、２線式電源線５１の最短ルートが形成される。このときの電源ユニット１１の取付フレーム１２における位置が位置Ｐ１と定まる。
【００８８】
（実施の形態４）
＜照明装置の構成＞
図９は、本発明の実施の形態４に係る照明装置の構成の一例を示した平面図である。なお、本実施の形態４で使用される２線式電源線５１では、２つのソケット５０間の間隔Ｌ１が、取付部６０（１）〜６０（６）の開口６００間の間隔に応じて予め定められている。
【００８９】
この照明装置１Ｃでは、取付部６０（１）〜６０（６）の取付態様は、図８に示した取付態様と同じである。
【００９０】
しかしながら、電源ユニット１１からの２線式電源線５１の導出部１１Ａに最も近いソケット５０を、図８のように取付部６０（３）にではなく、左上の取付部６０（１）に挿入している。この実施の形態４でも、２線式電源線５１の線長を最短にするために、電源ユニット１１の取付フレーム１２における位置が位置Ｐ２と定められている。
【００９１】
＜配線構造＞
導出部１１Ａに最も近いソケット５０が取付部６０（１）に挿入されている場合には、取付部６０（１）、６０（２）、６０（４）、６０（３）、６０（５）、６０（６）の順に２線式電源線５１を配線すれば、取付部６０（１）を始点とし、取付部６０（６）を終点とする２線式電源線５１の最短ルートが形成される。このとき、各ソケット５０が、２線式電源線５１に設けられている順番に、各々、開口６００に挿入される。
【００９２】
この場合、電源ユニット１１における導出部１１Ａが、取付部６０（１）の開口６００の略真上に位置しているので、電源ユニット１１の導出部１１Ａを始点とし、取付部６０（６）を終点とする、２線式電源線５１の最短ルートが形成される。このときの電源ユニット１１の取付フレーム１２における位置が位置Ｐ２と定まる。
【００９３】
（実施の形態５）
＜照明装置の構成＞
図１０は、本発明の実施の形態５に係る照明装置の構成の一例を示した平面図である。なお、本実施の形態５で使用される２線式電源線５１では、２つのソケット５０間の間隔Ｌ１が、取付部６０（１）〜６０（６）の開口６００間の間隔に応じて予め定められている。
【００９４】
この照明装置１Ｄでは、先述の照明装置１Ａ〜１Ｃとは異なり、取付部６０（４）が１８０度回転して取り付けられている。
【００９５】
この照明装置１Ｄでは、２線式電源線５１の線長を最短にするために、電源ユニット１１の取付フレーム１２における位置が位置Ｐ２と定められている。
【００９６】
＜配線構造＞
取付部６０（１）〜６０（６）が先述のようなパターンでシャーシ１０に取り付けられている場合には、取付部６０（１）、６０（２）、６０（４）、６０（３）、６０（５）、６０（６）の順に２線式電源線５１を配線すれば、取付部６０（１）を始点とし、取付部６０（６）を終点とする２線式電源線５１の最短ルートが形成される。このとき、各ソケット５０が、２線式電源線５１に設けられている順番に、各々、開口６００に挿入される。
【００９７】
この場合、電源ユニット１１からの２線式電源線５１の導出部１１Ａが、取付部６０（１）の開口６００の略真上に位置した状態で、導出部１１Ａから取付部６０（１）までの２線式電源線５１の線長が最短となる。
【００９８】
その結果、電源ユニット１１の導出部１１Ａを始点とし、取付部６０（６）を終点とする、２線式電源線５１の最短ルートが形成される。このときの電源ユニット１１の取付フレーム１２における位置が位置Ｐ２と定まる。
【００９９】
（実施の形態６）
＜照明装置の構成＞
図１１は、本発明の実施の形態６に係る照明装置の構成の一例を示した平面図である。なお、本実施の形態３で使用される２線式電源線５１では、２つのソケット５０間の間隔Ｌ１が、取付部６０（１）〜６０（６）の開口６００間の間隔に応じて予め定められている。
【０１００】
この照明装置１Ｅでは、先述の照明装置１Ｃ（図９参照）とは、取付部６０（１）及び６０（２）が、開口６００が左寄りとなるように取り付けられている点で異なる。この照明装置１Ｅでは、電源ユニット１１からの２線式電源線５１の導出部１１Ａに最も近いソケット５０を、照明装置１Ｃ（図９参照）と同様に、左上の取付部６０（１）に挿入している。
【０１０１】
この実施の形態６でも、２線式電源線５１の線長を最短にするために、電源ユニット１１の取付フレーム１２における位置が位置Ｐ３と定められている。
【０１０２】
＜配線構造＞
導出部１１Ａに最も近いソケット５０が取付部６０（１）に挿入されている場合には、取付部６０（１）、６０（２）、６０（４）、６０（３）、６０（５）、６０（６）の順に２線式電源線５１を配線すれば、取付部６０（１）を始点とし、取付部６０（６）を終点とする２線式電源線５１の最短ルートが形成される。このとき、各ソケット５０が、２線式電源線５１に設けられている順番に、各々、開口６００に挿入される。
【０１０３】
この場合、電源ユニット１１における導出部１１Ａが、取付部６０（１）の開口６００の略真上に位置しているので、電源ユニット１１の導出部１１Ａを始点とし、取付部６０（６）を終点とする、２線式電源線５１の最短ルートが形成される。このときの電源ユニット１１の取付フレーム１２における位置が位置Ｐ３と定まる。
【０１０４】
（実施の形態７）
＜照明装置の構成＞
図１２は、本発明の実施の形態７に係る照明装置の構成の一例を示した平面図である。なお、本実施の形態７で使用される２線式電源線５１では、２つのソケット５０間の間隔Ｌ１が、取付部６０（１）〜６０（６）の開口６００間の間隔に応じて予め定められている。
【０１０５】
この照明装置１Ｆでは、中心線Ｌを基準として左側には、開口６００が右寄りとなるように取付部６０（１）〜６０（４）が配置されている。一方、中心線Ｌを基準として右側には、開口６００が左寄りとなるように、取付部６０（５）〜６０（８）が配置されている。
【０１０６】
この照明装置１Ｆでは、２線式電源線５１の線長を最短にするために、電源ユニット１１の取付フレーム１２における位置が位置Ｐ４と定められている。
【０１０７】
＜配線構造＞
取付部６０（１）〜６０（８）が先述のようなパターンでシャーシ１０に取り付けられている場合には、取付部６０（１）、６０（２）、６０（４）、６０（３）、６０（５）、６０（６）、６０（８）、６０（７）の順に２線式電源線５１を配線すれば、取付部６０（１）を始点とし、取付部６０（７）を終点とする２線式電源線５１の最短ルートが形成される。このとき、各ソケット５０が、２線式電源線５１に設けられている順番に、各々、開口６００に挿入される。
【０１０８】
この場合、電源ユニット１１からの２線式電源線５１の導出部１１Ａが、取付部６０（１）の開口６００の略真上に位置した状態で、導出部１１Ａから取付部６０（１）までの２線式電源線５１の線長が最短となる。
【０１０９】
その結果、電源ユニット１１の導出部１１Ａを始点とし、取付部６０（７）を終点とする、２線式電源線５１の最短ルートが形成される。このときの電源ユニット１１の取付フレーム１２における位置が位置Ｐ４と定まる。
【０１１０】
（実施の形態８）
＜照明装置の構成＞
図１３は、本発明の実施の形態８に係る照明装置の構成の一例を示した平面図である。なお、本実施の形態８で使用される２線式電源線５１では、２つのソケット５０間の間隔Ｌ１が、取付部６０（１）〜６０（６）の開口６００間の間隔に応じて予め定められている。
【０１１１】
この照明装置１Ｇでは、先述の照明装置１Ｆとは異なり、取付部６０（４）及び６０（６）が、１８０度回転して取り付けられている。
【０１１２】
この照明装置１Ｇでは、２線式電源線５１の線長を最短にするために、電源ユニット１１の取付フレーム１２における位置が位置Ｐ５と定められている。
【０１１３】
＜配線構造＞
取付部６０（１）〜６０（８）が先述のようなパターンでシャーシ１０に取り付けられている場合には、取付部６０（１）、６０（２）、６０（４）、６０（３）、６０（５）、６０（６）、６０（８）、６０（７）の順に２線式電源線５１を配線すれば、取付部６０（１）を始点とし、取付部６０（７）を終点とする２線式電源線５１の最短ルートが形成される。このとき、各ソケット５０が、２線式電源線５１に設けられている順番に、各々、開口６００に挿入される。
【０１１４】
この場合、電源ユニット１１からの２線式電源線５１の導出部１１Ａが、取付部６０（１）の開口６００の略真上に位置した状態で、導出部１１Ａから取付部６０（１）までの２線式電源線５１の線長が最短となる。
【０１１５】
その結果、電源ユニット１１の導出部１１Ａを始点とし、取付部６０（７）を終点とする、２線式電源線５１の最短ルートが形成される。このときの電源ユニット１１の取付フレーム１２における位置が位置Ｐ５と定まる。
【０１１６】
（実施の形態９）
＜照明装置の構成＞
図１４は、本発明の実施の形態９に係る照明装置の構成の一例を示した平面図である。なお、本実施の形態９で使用される２線式電源線５１では、２つのソケット５０間の間隔Ｌ１が、取付部６０（１）〜６０（９）の開口６００間の間隔に応じて予め定められている。
【０１１７】
この照明装置１Ｈでは、左側の取付部６０（１）〜６０（３）は、開口６００が右寄りとなるように配置され、これら以外の取付部６０（４）〜６０（９）は、開口６００が左寄りとなるように配置されている。
【０１１８】
この照明装置１Ｈでは、２線式電源線５１の線長を最短にするために、電源ユニット１１の取付フレーム１２における位置が位置Ｐ６と定められている。
【０１１９】
＜配線構造＞
取付部６０（１）〜６０（９）が先述のようなパターンでシャーシ１０に取り付けられている場合には、取付部６０（１）、６０（２）、６０（３）、６０（４）、６０（５）、６０（６）、６０（７）、６０（８）、６０（９）の順に２線式電源線５１を配線すれば、取付部６０（１）を始点とし、取付部６０（９）を終点とする２線式電源線５１の最短ルートが形成される。このとき、各ソケット５０が、２線式電源線５１に設けられている順番に、各々、開口６００に挿入される。
【０１２０】
この場合、電源ユニット１１からの２線式電源線５１の導出部１１Ａが、取付部６０（１）の開口６００の略真上に位置した状態で、導出部１１Ａから取付部６０（１）までの２線式電源線５１の線長が最短となる。
【０１２１】
その結果、電源ユニット１１の導出部１１Ａを始点とし、取付部６０（９）を終点とする、２線式電源線５１の最短ルートが形成される。このときの電源ユニット１１の取付フレーム１２における位置が位置Ｐ６と定まる。
【０１２２】
（実施の形態１０）
＜照明装置の構成＞
図１５は、本発明の実施の形態１０に係る照明装置の構成の一例を示した平面図である。なお、本実施の形態９で使用される２線式電源線５１では、２つのソケット５０間の間隔Ｌ１が、取付部６０（１）〜６０（９）の開口６００間の間隔に応じて予め定められている。
【０１２３】
この照明装置１Ｉでは、先述の照明装置１Ｈとは異なり、左側の取付部６０（１）〜６０（３）が、開口６００が左寄りとなるように取り付けられている。
【０１２４】
この照明装置１Ｈでは、２線式電源線５１の線長を最短にするために、電源ユニット１１の取付フレーム１２における位置が位置Ｐ７と定められている。
【０１２５】
＜配線構造＞
取付部６０（１）〜６０（９）が先述のようなパターンでシャーシ１０に取り付けられている場合には、取付部６０（１）、６０（２）、６０（３）、６０（４）、６０（５）、６０（６）、６０（７）、６０（８）、６０（９）の順に２線式電源線５１を配線すれば、取付部６０（１）を始点とし、取付部６０（９）を終点とする２線式電源線５１の最短ルートが形成される。このとき、各ソケット５０が、２線式電源線５１に設けられている順番に、各々、開口６００に挿入される。
【０１２６】
この場合、電源ユニット１１からの２線式電源線５１の導出部１１Ａが、取付部６０（１）の開口６００の略真上に位置した状態で、導出部１１Ａから取付部６０（１）までの２線式電源線５１の線長が最短となる。
【０１２７】
その結果、電源ユニット１１の導出部１１Ａを始点とし、取付部６０（９）を終点とする、２線式電源線５１の最短ルートが形成される。このときの電源ユニット１１の取付フレーム１２における位置が位置Ｐ７と定まる。
【産業上の利用可能性】
【０１２８】
本発明は、トンネル内を照明する照明装置に適用できる。
【符号の説明】
【０１２９】
１、１Ａ〜１Ｉ  照明装置
１０  シャーシ
１１  電源ユニット
１２  取付フレーム
２０  カバー
２１  ＬＥＤ
２１Ａ  レンズ部
２２  ＬＥＤ基板
５０  ソケット
５０Ａ  プラス端子
５０Ｂ  マイナス端子
５１  ２線式電源線
５１Ａ  プラス線
５１Ｂ  マイナス線
６０（１）〜６０（９）  取付部
６００  開口
Ｌ１  ２つのソケット間の間隔
Ｐ１〜Ｐ７  電源ユニットの取付フレームにおける位置
【図１】
2014203596.tif 000003
【図２】
2014203596.tif 000004
【図３】
2014203596.tif 000005
【図４】
2014203596.tif 000006
【図５】
2014203596.tif 000007
【図６】
2014203596.tif 000008
【図７】
2014203596.tif 000009
【図８】
2014203596.tif 000010
【図９】
2014203596.tif 000011
【図１０】
2014203596.tif 000012
【図１１】
2014203596.tif 000013
【図１２】
2014203596.tif 000014
【図１３】
2014203596.tif 000015
【図１４】
2014203596.tif 000016
【図１５】
2014203596.tif 000017
【図１６】
2014203596.tif 000018